(57)【要約】【課題】奥行きの長いステージ部を設けたパチンコ遊技機において、遊技者の視点の如何によらず統合的な演出を確実に実現することが可能なパチンコ遊技機を提供すること。【解決手段】ステージ部２の上面２b及び壁部３，４の内側面３b、４bに、ランプ表示部１１から連続するように中継表示部１５を設け、図柄表示画面３００の画面表示とランプ表示部１１の点灯表示と中継表示部１５の表示との組合せにより統合した演出を行う。【選択図】図３
2007029174.tif 000002
【特許請求の範囲】
【請求項１】
遊技盤中央部の図柄表示画面を取り囲むようにステージ部及び壁部を備えると共に、前記図柄表示画面を各々跨ぐように前記ステージ部及び前記壁部の各前面に複数のランプ表示部を備え、前記図柄表示画面の画面表示と前記ランプ表示部の点灯表示との組合せにより統合した演出を行うパチンコ遊技機において、
前記ステージ部の上面及び/又は前記壁部の内側面に、前記ランプ表示部から連続するように中継表示部を設け、前記図柄表示画面の画面表示と前記ランプ表示部の点灯表示と前記中継表示部の表示との組合せにより統合した演出を行うことを特徴とするパチンコ遊技機。
【請求項２】
前記壁部の内側面及び/又は前記ステージ部の上面は、前記図柄表示画面側から前面に向かって拡開する拡開部を有し、前記中継表示部は該拡開部に配置されることを特徴とする請求項１に記載のパチンコ遊技機。
【発明の詳細な説明】
【技術分野】
【０００１】
本発明は、パチンコ遊技機、詳しくは、リーチ予告時、リーチ発生時、大当り予告時、大当り発生時などに遊技者に対し視覚に訴える効果的な演出を行うパチンコ遊技機に関する。
【背景技術】
【０００２】
従来から、リーチ予告演出、リーチ演出、大当り予告演出などを行う際、遊技者の期待感や喜びを高揚させるために、ダイナミックな演出を可能にしたパチンコ遊技機が知られており、例えば特許文献１には、遊技盤中央部の図柄表示画面を跨ぐように複数のランプ表示部を設け、図柄表示画面の画面表示とランプ表示部の点灯表示との組合わせにより統合した演出を行うパチンコ遊技機が開示されている。
【特許文献１】特開２００４−２８３２４６公報
【発明の開示】
【発明が解決しようとする課題】
【０００３】
しかし、近年、図柄表示画面の前面側のステージ部に遊技球の転動による興趣をもたせたり、意匠的効果を発揮させるべく、ステージ部の奥行きを長くする傾向があり、奥行きの長いステージ部を設けたパチンコ遊技機に、上記のような図柄表示画面の画面表示とランプ表示部の点灯表示との組み合わせのみによって演出を行う場合、遊技者が通常の姿勢をとりながら遊技を行っている状態から姿勢を左右方向にずらして遊技を行った場合などに、遊技者にとって図柄表示画面の画面表示とランプ表示部の点灯表示とがミスマッチングを起こしているように見え、統合的な演出を実現できなくなるという問題が発生した。
【０００４】
本発明は、上記のような従来技術の問題点を解決し、奥行きの長いステージ部を設けたパチンコ遊技機において、遊技者の視点の如何によらず統合的な演出を確実に実現することが可能なパチンコ遊技機を提供することを目的とする。
【課題を解決するための手段】
【０００５】
本発明のパチンコ遊技機は、遊技盤中央部の図柄表示画面を取り囲むようにステージ部及び壁部を備えると共に、前記図柄表示画面を各々跨ぐように前記ステージ部及び前記壁部の各前面に複数のランプ表示部を備え、前記図柄表示画面の画面表示と前記ランプ表示部の点灯表示との組合せにより統合した演出を行うパチンコ遊技機において、前記ステージ部の上面及び/又は前記壁部の内側面に、前記ランプ表示部から連続するように中継表示部を設け、前記図柄表示画面の画面表示と前記ランプ表示部の点灯表示と前記中継表示部の表示との組合せにより統合した演出を行うことを特徴とする。
【０００６】
本発明によると、図柄表示画面とランプ表示部との間に中継表示部を設け、この中継表示部により、図柄表示画面の画面表示とランプ表示部の点灯表示との間の無表示部を補足する表示を行うようにしたため、奥行きの長いステージ部を備えるパチンコ遊技機において、遊技者の視点がいかなる視点であっても統合的な演出が実現可能になる。
【０００７】
ここで、前記壁部の内側面及び/又は前記ステージ部の上面は、前記図柄表示画面側から前面に向かって拡開する拡開部を有し、前記中継表示部を該拡開部に配置するようにすると、壁部及び/又はステージ部に拡開部を設けたことに基づく図柄表示画面の画面表示とランプ表示部の点灯表示とのミスマッチングを防止でき、統合的な演出を実現可能になる。つまり、壁部及び/又はステージ部に拡開部を設けた場合、従来のように図柄表示画面の画面表示とランプ表示部の点灯表示との組合せのみによる演出を行った場合、遊技者が通常の姿勢で遊技を行っていても、図柄表示画面の画面表示とランプ表示部の点灯表示との間に拡開部による無表示部が発生し統合的な演出が不可能になるが、この拡開部に中継表示部を設けることにより、無表示部を補足する表示ができ、統合的な演出を実現できるようになる。
【発明を実施するための最良の形態】
【０００８】
以下、本発明の実施形態を図面に基づいて説明する。
【０００９】
図１は、本発明の一実施形態に係るパチンコ遊技機の遊技盤の正面図、図２は、図１図示A-A断面図、図３は、装飾部材の斜視図、図４は、電気系統ブロック図、図５は、演出の一例を実行するための処理内容を表したフローチャート、図６は、変形例に係る装飾部材の断面図をそれぞれ示す。
【００１０】
図１〜図３において、遊技盤１００の中央部には装飾部材２００が配設される。
【００１１】
装飾部材２００は、中央部に窓部１を有し、この窓部１をステージ部２と左壁部３と右壁部４と上壁部５とで取り囲んで構成されている。窓部１は、四角形状をしており、各種画像演出を行う図柄表示装置の図柄表示画面３００（図４参照）を前面に露出させる。
【００１２】
窓部１を挟んだ装飾部材２００の左壁部３及び右壁部４には、それぞれ遊技盤面１０１上を転動している遊技球を装飾部材２００の内側つまり図柄表示画面３００の前面下方のステージ部２上に案内するためのステージ誘導通路部６が設けられている。ステージ部２は、本実施形態の場合、奥行き方向（前後方向）に３つからなる分割ステージ部７，８，９によって構成され、奥行きが長いステージ部である。
【００１３】
奥の分割ステージ部７は、左右方向に起伏のある橋を模して構成される。ステージ誘導通路部６の球入口６aから入った遊技球は、ステージ誘導通路部６の球出口６bから奥の分割ステージ部７上に放出される。奥の分割ステージ部７上の遊技球は、中央奥側に設けられた球入口１０aつまり始動入賞誘導通路部（図示せず）の球入口１０aに入るか、又は、中央の分割ステージ部８上に移る。始動入賞誘導通路部の球入口１０aに入った遊技球は、始動入賞誘導通路部の球出口１０bから遊技盤面１０１上に放出される。なお、始動入賞誘導通路部の球出口１０bは装飾部材２００の下方に配設された始動入賞口１０２の真上に位置し、この球出口１０bから放出された遊技球は始動入賞口１０２に入賞し易くなる。
【００１４】
中央の分割ステージ部８も、奥の分割ステージ部７と同様、橋を模して構成され、奥の分割ステージ部７で転動している遊技球の一部を受け止める。中央の分割ステージ部８上の遊技球は、中央奥側に形成された球入口１０cつまり始動入賞誘導通路部の他の球入口１０cに入るか、又は、手前の分割ステージ部９上に移る。始動入賞誘導通路部の他の球入口１０cに入った遊技球は、上記球入口１０aに入った遊技球と同様、始動入賞誘導通路部の球出口１０bから遊技盤面１０１上に放出される。
【００１５】
手前の分割ステージ部９は、中央に、手前に向かって下がった傾斜面部９aを有する。この手前の分割ステージ部９は、中央の分割ステージ部８上で転動している遊技球の一部を受け止める。この手前の分割ステージ部９上の遊技球は、傾斜面部９aから直接遊技盤面１０１上に放出される。なお、傾斜面部９aから直接遊技盤面１０１上に放出された遊技球の始動入賞口１０２への入賞確率は、始動入賞誘導通路部の球出口１０bから放出される遊技球の始動入賞口１０２への入賞確率よりも十分に低い。
【００１６】
ステージ部２、左壁部３、右壁部４及び上壁部５の各前面２a、３a、４a、５aには、それぞれランプ表示部１１が設けられている。各ランプ表示部１１は、回路基板１２上に実装された発光素子（LED）１３と、発光素子１３の発光を前方へ透過する直線帯状の透光部材１４とを備えて構成される。
【００１７】
また、ステージ部２の上面２b、左壁部３及び右壁部４の各内側面３b、４bには、ステージ部２、左壁部３及び右壁部４の各前面２a、３a、４aのランプ表示部１１から連続し、直線上に延び、図柄表示画面３００へ向かうように中継表示部１５が設けられている。左壁部３の中継表示部１５は、上記ランプ表示部１１と同様、回路基板１６上に直線上に実装された発光素子（LED）１７と、発光素子１７の発光を前方へ透過する直線帯状の透光部材１８とを備えて構成される。また、右壁部４の中継表示部は、図３には現れていないが、左壁部３の中継表示部１５と同様に構成される。また、ステージ部２の中継表示部１５は、回路基板１６上に直線上に実装された発光素子（LED）１７を備え、発光素子１７の発光はステージ部２の上面２bを透過して視認される。
【００１８】
次に、上記のように構成される遊技盤１００によって行なわれる演出表示を図４及び図５に基づいて説明する。
【００１９】
図４において、始動口入賞スイッチ４００は、始動入賞口１０２への遊技球の入賞を検出するためのスイッチである。主制御基板５００は、始動口入賞スイッチ４００がオンして所定の始動条件が成立したとき大当たり抽選を行い、取得した乱数に基づいて遊技状態（演出表示を含む。）を決定するなどの処理を行なう基板である。図柄制御基板６００は、主制御基板５００からコマンドを受信し、図柄表示装置の表示を制御するとともにランプ制御基板７００にコマンドを送信する基板である。ランプ制御基板７００は、図柄制御基板６００からコマンドを受信し、ランプ表示部１１及び中継表示部１５の各発光素子１３，１７の点灯制御などランプ表示制御を行なう基板である。
【００２０】
主制御基板５００及び図柄制御基板６００は、演出表示のために図５に示すような処理を行なう。
【００２１】
図５において、主制御基板５００は、抽選によって取得した乱数に基づいて決定した変動パターンに関するコマンドを図柄制御基板６００に送信する（Ｓ１）。コマンドを受信した図柄制御基板６００は、変動パターンが特定コマンドであるか否かを判定する（Ｓ２）。
【００２２】
変動パターンが特定コマンドである場合、図柄制御基板６００は後光フラッシュ演出を行なうかどうかの抽選を行なう（Ｓ３）。ここで、後光フラッシュ演出とは、図４に示すように、図柄表示画面３００の画面表示とランプ表示部１１及び中継表示部１５によるランプ表示とを組み合わせて図柄表示画面３００上の登場人物の背後などに光が射しているような表示を行なう演出である。
【００２３】
次に、後光フラッシュ演出が当選したか否かを判定する（Ｓ４）。
【００２４】
後光フラッシュ演出が当選した場合、図柄制御基板６００からランプ制御基板７００に変動パターンコマンド及び後光フラッシュコマンドを送信し（Ｓ５，６）、ランプ制御基板７００はこの受信したコマンドに従って図柄表示装置、ランプ表示部１１及び中継表示部１５を制御し、図柄表示装置、ランプ表示部１１及び中継表示部１５は後光フラッシュ演出を行なう（Ｓ７）。
【００２５】
一方、ステップＳ２にて変動パターンが特定コマンドでないと判定した場合、又は、ステップＳ４にて後光フラッシュ演出が当選していないと判定した場合、図柄表示装置、ランプ表示部１１及び中継表示部１５は後光フラッシュ演出を行なわず、ランプ表示部１１及び中継表示部１５によるランプ表示は行なわれず、図柄表示装置などによってコマンドに基づいた演出を行なう（Ｓ８，７）。
【００２６】
以上説明したように、後光フラッシュ演出は、ランプ表示部１１と図柄表示装置だけで行うのでなく、中継表示部１５も加わって後光フラッシュ演出が行われるようになる。したがって、奥行きの長いステージ部２を有する装飾部材２００においてランプ表示部１１と図柄表示装置だけで後光フラッシュ演出を行う場合、図柄表示画面３００の画面表示とランプ表示部１１の点灯表示との間に無表示部が発生するが、本実施形態では、この無表示部を中継表示部１５が補足する表示を行うようになるため、奥行きの長いステージ部２を備えるパチンコ遊技機において、遊技者が通常の姿勢をとりながら遊技を行っている状態から姿勢を左右方向にずらして遊技を行った場合であっても、遊技者にとって統合的な演出が行われているように認識され得る。なお、中継表示部１５は、ステージ部２の上面２bのみ、又は、左壁部３、右壁部４のいずれか一方の内側面３b又は４bのみに設けるようにしてもよい。なお、表示演出は上述した後光フラッシュ演出に限定されないことはいうまでもない。
【００２７】
図６に示す変形例に係る装飾部材２００は、装飾部材２００における左壁部３の内側面３bが図柄表示画面３００側から前面に向かって拡開する拡開部により構成され、この拡開部３bに中継表示部１５が配置されることを特徴としている。このように構成することにより、左壁部３に拡開部３bを設けたことに基づく図柄表示画面３００の画面表示とランプ表示部１１の点灯表示とのミスマッチングを防止でき、統合的な演出を実現可能になる。つまり、左壁部３に拡開部３bを設けた場合、従来のように図柄表示画面３００の画面表示とランプ表示部１１の点灯表示との組合せのみによる演出を行った場合、遊技者が通常の姿勢で遊技を行っていても、図柄表示画面３００の画面表示とランプ表示部１１の点灯表示との間に拡開部３bによる無表示部が発生し統合的な演出が不可能になるが、この拡開部３bに中継表示部１５を設けることにより、無表示部を補足する表示ができ、統合的な演出を実現できるようになる。なお、拡開部は、右壁部４の内側面４b又はステージ部２の上面２b又は上壁部５の下面に設けるようにしてもよく、また、内側面３b、４b又は上面２bの一部に設けるようにしてもよい。
【図面の簡単な説明】
【００２８】
【図１】本発明の一実施形態に係るパチンコ遊技機の遊技盤の正面図である。
【図２】図１図示A-A断面図である。
【図３】装飾部材の斜視図である。
【図４】電気系統ブロック図である。
【図５】演出の一例を実行するための処理内容を表したフローチャートである。
【図６】変形例に係る装飾部材の断面図である。
【符号の説明】
【００２９】
１００    遊技盤
１０１    遊技盤面
２    ステージ部
２b    上面
３    左壁部
３b    内側面（拡開部）
４    右壁部
４b    内側面
５    上壁部
１１    ランプ表示部
１５    中継表示部
【図１】
2007029174.tif 000003
【図２】
2007029174.tif 000004
【図３】
2007029174.tif 000005
【図４】
2007029174.tif 000006
【図５】
2007029174.tif 000007
【図６】
2007029174.tif 000008